(57)【要約】      （修正有）【課題】自動販売機を、外観的にあたかも警報装置や防犯カメラが設置されているように見せかけ、低価格で自動販売機の金品盗難の発生を防ぐことができるダミーの警報装置を提供する。【解決手段】ケース２の前壁に、警報灯３とビデオカメラのレンズに似せた模擬の映像撮影部材４を設け、前記ケース２の内部に電源と接続する回路機構５を設け、この回路機構５の発振器で警報灯３を点滅させる。【選択図】図３
0003122370.tif 000002
【実用新案登録請求の範囲】
【請求項１】
ケースの前壁に、警報灯とビデオカメラのレンズに似せた模擬の映像撮影部材を設け、前記ケースの内部に、電源と接続することにより警報灯を点滅させる回路機構を設けた自動販売機の警報装置。
【請求項２】
上記警報灯はＬＥＤを用い、ケースの前壁に設けた透孔からＬＥＤの先端がケースの外部に突出している請求項１に記載の自動販売機の警報装置。
【請求項３】
上記回路機構は、基板に設けた回路上に、回路に電源を接続するコネクターと、回路に供給された電流の電圧を下げる抵抗と、抵抗によって下がった電圧で作動する発振器及び、この発振器の作動で点滅する警報灯を実装して形成されている請求項１又は２に記載の自動販売機の警報装置。
【請求項４】
上記回路機構は、基板に設けた回路上に、電池と、この電池と発振器の接続をオン、オフする切り換えスイッチが設けられ、電源のオフ時に切り換えスイッチをオンすることにより、電池を電源として警報灯を点滅させることができるようになっている請求項３に記載の自動販売機の警報装置。
【請求項５】
上記ケースの背面に、金属部分へ吸着させるための磁石が取付けられている請求項１乃至４の何れかに記載の自動販売機の警報装置。
【考案の詳細な説明】
【技術分野】
【０００１】
この考案は、自動販売機の警報装置、更に詳しくは、自動販売機におる商品陳列窓の内部空間に設置し、この自動販売機があたかも本物の警報装置を備えているように見せかけ、自動販売機からの金品や商品の窃盗を未然に防ぐことができるようにしたダミーの警報装置に関する。
【背景技術】
【０００２】
自動販売機は屋外に設置される場合が多く、しかも、内部につり銭や売上金が収納されているため、窃盗の被害に遭う危険が多く、自動販売機から金品を盗む事件が各地で多発しているのが現状である。
【０００３】
自動販売機から金品の盗難を阻止する有効な手段として、自動販売機の施錠部分や貨幣投入部分等を破壊すると、これを電気的に検出して警報を発する警報装置や、犯行を撮影する防犯カメラを自動販売機に設置するのが有効である。
【０００４】
また、警報装置や防犯カメラの設置が確認できる状況で自動販売機に設置されていれば、それだけで犯罪を未然に抑止する効果が得られることになる。
【考案の開示】
【考案が解決しようとする課題】
【０００５】
しかし、警報装置や防犯カメラは高価な機器であり、これを各自動販売機毎に設置するには、どうしても経済的負担が大きくなり、有効であると判っていても採用が進まない原因になっており、このため、多くの自動販売機が金品の盗難の危険にさらされているのが現状である。
【０００６】
そこで、この考案の課題は、上記した問題点を解決するため、自動販売機に設置することにより、外観的にあたかも警報装置や防犯カメラが設置されているように見せかけ、低価格で自動販売機の金品盗難の発生を防ぐことができるダミーの警報装置を提供することにある。
【課題を解決するための手段】
【０００７】
上記の課題を解決するため、この考案は、ケースの前壁に、警報灯とビデオカメラのレンズに似せた模擬の映像撮影部材を設け、前記ケースの内部に、電源と接続することにより警報灯を点滅させる回路機構を設けた構成を採用したものである。
【０００８】
上記警報灯はＬＥＤを用い、ケースの前壁に設けた透孔からＬＥＤの先端がケースの外部に突出している構造とするのが好ましい。
【０００９】
また、上記回路機構は、基板に設けた回路上に、回路に電源を接続するコネクターと、回路に供給された電流の電圧を下げる抵抗と、抵抗によって下がった電圧で作動する発振器及び、この発振器の作動で点滅する警報灯を実装して形成されているようにしたり、基板に設けた回路上に、電池と、この電池と発振器の接続をオン、オフする切り換えスイッチが設けられ、電源のオフ時に切り換えスイッチをオンすることにより、電池を電源として警報灯を点滅させることができるようになっている構造とすることができる。
【００１０】
更に、上記ケースの背面に、金属部分へ吸着させるための磁石を取付けるようにすることができる。
【００１１】
ここで、上記ケースは、金属板を用いて前面開放の角型箱に形成されたケース本体と、このケース本体の前面側に嵌着してビスで固定するカバーとで形成され、カバーの前壁外面で上部中央の位置に、ビデオカメラのレンズに似せた模擬の映像撮影部材が固定され、
この映像撮影部材から少し離れた位置に設けた透孔に、その先端がケースの外部に突出するように警報灯が嵌まっていると共に、前壁の外面には、警報装置等の文字が表示されている。
【００１２】
上記回路機構の基板は、ケース本体の内面に取付けられ、切り換えスイッチをケースの外部からオン、オフするため、ケース本体には切り換えスイッチと対応する位置に窓孔が設けられている。
【考案の効果】
【００１３】
この考案によると、ケースの前壁に警報灯とビデオカメラのレンズに似せた模擬の映像撮影部材を設け、前記ケースの内部に電源と接続することにより警報灯を点滅させる回路機構を設けたので、自動販売機の商品陳列窓の内側に外部から見えるように配置すれば、自動販売機は、ダミーでありながら、外観的にあたかも警報装置や防犯カメラが設置されているように見え、しかも、警報灯を点滅させることにより、警報装置やビデオカメラが作動しているかごとき状態になり、このため、自動販売機から金品を盗もうとする考えや行動を思い止まらすことができ、自動販売機の金品盗難の発生を防ぐことができる。
【００１４】
また、ケースに、警報灯と模擬の映像撮影部材及び警報灯を点滅させる回路機構を設けただけであるので、構造的に簡単で製作コストも安価であり、少ない経済的負担で自動販売機の金品盗難の発生を防ぐことができる。
【００１５】
更に、回路機構の回路上に電池を設けたので、電源がオフになったような場合でも、切り換えスイッチをオンすれば警報灯を点滅させることができ、警報装置やビデオカメラが作動しているかごとき状態を確保することで、自動販売機の金品盗難の発生防止効果を維持することができる。
【００１６】
また、ケースに設けた磁石によって金属部分に固定することができ、移動しないような配置が簡便に行える。
【考案を実施するための最良の形態】
【００１７】
以下、この考案の実施の形態を図示例に基づいて説明する。
【００１８】
図１乃至図３のように、警報装置１は、角型ケース２の前壁に、警報灯３とビデオカメラのレンズに似せた模擬の映像撮影部材４を設け、前記ケース２の内部に、電源と接続することにより警報灯３を点滅させる回路機構５を収納した構造になっている。
【００１９】
上記ケース２は、金属板を用いて前面開放の角型箱に形成されたケース本体２ａと、このケース本体２ａの前面側に嵌着してビス６で固定する縦断面コ字形のカバー２ｂとで形成され、カバー２ｂの前壁外面で上部中央の位置に、ビデオカメラのレンズに似せた模擬の映像撮影部材４が固定され、この映像撮影部材４から少し離れた横方向の位置に設けた透孔７に、その先端がケース２の外部に突出するように赤色に点灯する警報灯３が嵌まっている。
【００２０】
上記ケース２におけるカバー２ｂの前壁外面には、警報装置等の文字が印刷やシール８の貼り付けによって表示され、また、ケース本体２ａの背面には、金属部分へ吸着させるためのゴム磁石等の永久磁石９が貼り付け固定されている。
【００２１】
また、上記回路機構５は、図４のブロック図と図５の回路図に示すように、基板１０に設けた回路１１上に、回路１１に電源コードを接続するコネクター１２と、回路１１に供給された電源の電圧を例えば２４ボルトに下げるための抵抗１３と、抵抗１３によって下がった電圧で作動する発振器１４及び、この発振器１４の作動で点滅する警報灯３と、電池１５と、この電池１５と発振器１４の接続をオン、オフする切り換えスイッチ１６が実装され、電源のオフ時に切り換えスイッチ１６をオンすることにより、電池１５を電源として警報灯３を点滅させることができるようになっている。
【００２２】
上記警報灯３は赤色等のＬＥＤを用い、カバー２ｂの前壁に設けた透孔７からＬＥＤの先端がケース２の外部に突出していると共に、ケース２の下部には、コネクター１２と電源を接続するコードの貫通孔１７が設けられ、更に、切り換えスイッチ１６をケース２の外部からオン、オフするため、ケース本体２ａには切り換えスイッチ１６と対応する位置に窓孔１８が設けられている。
【００２３】
この考案の警報装置１は上記のような構成であり、図１のように、自動販売機Ａの商品陳列窓の内側に外部から見えるように配置し、磁石９で自動販売機Ａの金属部分に固定すると共に、コードを介して電源とコネクター１２を接続する。
【００２４】
上記警報装置１を設置することにより、ダミーでありながら、自動販売機Ａは外観的にあたかも警報装置や防犯カメラが設置されているように見え、しかも、警報灯３を点滅させることにより、警報装置やビデオカメラが作動しているかごとき状態になり、このため、自動販売機Ａから金品を盗もうとする考えや行動を思い止まらすことができ、自動販売機Ａの金品盗難の発生を防ぐことができる。
【００２５】
図４（ｂ）は、発振器１４のパルス発振出力と電圧の関係を示し、パルスが立ち上がっている間電圧は上昇して警報灯３は点灯し、パルスが下がると電圧も下がって警報灯３は消灯し、これを交互に繰り返すことによって警報灯３は点滅することになる。
【００２６】
また、警報装置１は、ケース２に警報灯３と模擬の映像撮影部材４及び警報灯３を点滅させる回路機構５を設けた構造であるので、製作コストが安くなり、少ない経済的な負担で自動販売機Ａの金品盗難の発生を防ぐことができる。
【００２７】
更に、電源がオフになったような場合、切り換えスイッチ１６をオンすれば電池１５で警報灯３を点滅させることができ、電源のオフ時にも、警報装置やビデオカメラが作動しているかごとき状態を確保することで、自動販売機Ａの金品盗難の発生防止効果を維持できる。
【図面の簡単な説明】
【００２８】
【図１】警報装置を商品陳列窓の内側に外部から見えるように配置した自動販売機の斜視図
【図２】（ａ）は警報装置のカバーを外した正面図、（ｂ）は警報装置の縦断側面図
【図３】警報装置の分解した斜視図
【図４】（ａ）は回路機構のブロック図、（ｂ）は発振器のパルス発振出力と電圧の関係を示す説明図
【図５】回路機構の回路図
【符号の説明】
【００２９】
１        警報装置
２        ケース
３        警報灯
４        模擬の映像撮影部材
５        回路機構
６        ビス
７        透孔
８        シール
９        永久磁石
１０      基板
１１      回路
１２      コネクター
１３      抵抗
１４      発振器
１５      電池
１６      切り換えスイッチ
１７      貫通孔
１８      窓孔
【図１】
0003122370.tif 000003
【図２】
0003122370.tif 000004
【図３】
0003122370.tif 000005
【図４】
0003122370.tif 000006
【図５】
0003122370.tif 000007